(57)【要約】【課題】検索された経路上における他の情報も検索して経路情報とともに提供し、また、出発時刻や到着時刻が指定されている場合に利用者にこの時刻を意識させることなく移動させる。【解決手段】経路情報提供サーバ１００において、ユーザ端末１０にて指定された出発地点及び目的地点、並びに前記目的地点における到着時刻に基づいて出発地点から目的地点までの経路及び移動時刻を決定し、該移動時刻において、ユーザ端末１０に対して経路及び移動時刻である旨を通知する。【選択図】　　図１
2004028691.tif 000002
【特許請求の範囲】
【請求項１】
ネットワークに接続可能に構成された端末にて指定された情報に基づく経路を決定し、該経路情報をネットワークを介して前記端末に提供する経路情報提供方法であって、
前記端末にて指定された出発地点及び目的地点、並びに前記目的地点における到着時刻に基づいて、前記経路及び移動時刻を決定し、該移動時刻において、前記端末に対して前記経路及び前記移動時刻である旨を通知することを特徴とする経路情報提供方法。
【請求項２】
請求項１に記載の経路情報提供方法において、
前記出発地点は、前記端末にて取得された該端末の位置情報によって決まることを特徴とする経路情報提供方法。
【請求項３】
請求項１または請求項２に記載の経路情報提供方法において、
予め登録された利用者に関する情報に基づいて、前記出発地点から前記目的地点までに経由可能な経由地を決定し、該経由地を前記端末に通知することを特徴とする経路情報提供方法。
【請求項４】
請求項３に記載の経路情報提供方法において、
前記利用者に関する情報は、該利用者の嗜好情報であり、該嗜好情報に関連する店舗を前記経由地として決定することを特徴とする経路情報提供方法。
【請求項５】
請求項１乃至４のいずれか１項に記載の経路情報提供方法において、
前記経路にて障害が発生した場合、前記出発地点及び目的地点、並びに前記目的地点における到着時刻に基づいて他の経路を決定し、該経路を前記端末に提供することを特徴とする経路情報提供方法。
【請求項６】
ネットワークに接続可能に構成された端末と、前記端末にて指定された情報に基づく経路を決定し、該経路情報をネットワークを介して前記端末に提供する情報提供手段とを有してなる経路情報提供システムにおいて、
前記情報提供手段は、前記端末にて指定された出発地点及び目的地点、並びに前記目的地点における到着時刻に基づいて、前記経路及び移動時刻を決定し、該移動時刻において、前記端末に対して前記経路及び前記移動時刻である旨を通知することを特徴とする経路情報提供システム。
【請求項７】
請求項６に記載の経路情報提供システムにおいて、
前記端末は、該端末の位置情報を取得する位置情報取得手段を有し、
前記情報提供手段は、前記位置情報取得手段にて取得された前記端末の位置情報によって前記出発地点を決定することを特徴とする経路情報提供システム。
【請求項８】
請求項６または請求項７に記載の経路情報提供システムにおいて、
前記情報提供手段は、予め登録された利用者に関する情報に基づいて、前記出発地点から前記目的地点までに経由可能な経由地を決定し、該経由地を前記端末に通知することを特徴とする経路情報提供システム。
【請求項９】
請求項８に記載の経路情報提供システムにおいて、
前記利用者に関する情報は、該利用者の嗜好情報であり、
前記情報提供手段は、前記嗜好情報に関連する店舗を前記経由地として決定することを特徴とする経路情報提供システム。
【請求項１０】
請求項６乃至９のいずれか１項に記載の経路情報提供システムにおいて、
前記情報提供手段は、前記経路にて障害が発生した場合、前記出発地点及び目的地点、並びに前記目的地点における到着時刻に基づいて他の経路を決定し、該経路を前記端末に提供することを特徴とする経路情報提供システム。
【請求項１１】
ネットワークに接続可能に構成された端末にて指定された情報に基づく経路を決定し、該経路情報をネットワークを介して前記端末に提供するサーバであって、
前記端末にて指定された出発地点及び目的地点、並びに前記目的地点における到着時刻に基づいて、前記経路及び移動時刻を決定し、該移動時刻において、前記端末に対して前記経路及び前記移動時刻である旨を通知することを特徴とするサーバ。
【請求項１２】
請求項１１に記載のサーバにおいて、
前記端末にて取得された該端末の位置情報によって前記出発地点を決定することを特徴とするサーバ。
【請求項１３】
請求項１１または請求項１２に記載のサーバにおいて、
予め登録された利用者に関する情報に基づいて、前記出発地点から前記目的地点までに経由可能な経由地を決定し、該経由地を前記端末に通知することを特徴とするサーバ。
【請求項１４】
請求項１３に記載のサーバにおいて、
前記利用者に関する情報は、該利用者の嗜好情報であり、前記嗜好情報に関連する店舗を前記経由地として決定することを特徴とするサーバ。
【請求項１５】
請求項１１乃至１４のいずれか１項に記載のサーバにおいて、
前記経路にて障害が発生した場合、前記出発地点及び目的地点、並びに前記目的地点における到着時刻に基づいて他の経路を決定し、該経路を前記端末に提供することを特徴とするサーバ。
【発明の詳細な説明】
【０００１】
【発明の属する技術分野】
本発明は、目的地までの経路を自動的に検索し、検索した経路をインターネット等のネットワークを介して提供する経路情報提供方法及び経路情報提供システムに関する。
【０００２】
【従来の技術】
近年、インターネットの普及に伴い、指定された目的地までの経路を自動的に検索し、検索した経路をインターネット上に提供する経路検索システムが多くのユーザに利用されている。
【０００３】
このような経路検索システムを利用して経路情報を取得する場合、まず、インターネットに接続可能な端末を用いて、経路検索システムにアクセスし、その後、出発地と目的地とを指定するとともに、出発時刻あるいは到着時刻に指定がある場合はその時刻を指定する。すると、経路検索システムにおいて、指定された情報に基づいて経路が検索され、検索された経路がインターネットを介して端末に提供されることになる。
【０００４】
図９は、従来の経路情報提供システムの一構成例を示す図である。
【０００５】
本従来例は図９に示すように、インターネット５２０に接続可能に構成されたユーザ端末５１０と、駅や空港の時刻表に関する情報が登録された時刻表データベース６２２と、乗り換え可能な駅や空港における他路線への乗り換えにかかる時間に関する情報が登録された乗換え時間データベース６２１と、ユーザ端末５１０にて指定された情報に基づいて、時刻表データベース６２２及び乗換え時間データベース６２１を参照して経路を検索し、検索した経路をインターネット５２０を介してユーザ端末５１０に提供する経路検索サーバ６００とから構成されている。また、経路検索サーバ６００は、ユーザ端末５１０にて指定された情報に基づいて、時刻表データベース６２２及び乗換え時間データベース６２１を参照して経路を検索する経路検索部６２０と、ユーザ端末５１０にて経路を検索するための情報を指定するための情報画面や経路検索部６２０にて検索された経路が掲載された情報画面を作成し、該情報画面をインターネット５２０を介してユーザ端末５１０に提供するサイト管理部６１０とから構成されている。なお、本従来例においては、ユーザ端末５１０を１つしか図示していないが、複数のユーザ端末がインターネット５２０に接続可能に構成されて存在しているものとする。
【０００６】
上記のように構成された経路情報提供システムにおいて所望の経路を取得する場合、まず、利用者は、ユーザ端末５１０を用いて経路検索サーバ６００にインターネット５２０を介してアクセスする。なお、ユーザ端末５１０は、パーソナルコンピュータや携帯電話等の情報端末であり、インターネット５２０を介してのＷｅｂの閲覧または電子メールの送受信機能を有する。
【０００７】
経路検索サーバ６００においては、サイト管理部６１０において、ユーザ端末５１０にて経路を検索するための情報を指定するための情報画面がインターネット５２０を介してユーザ端末５１０に提供される。ここで、サイト管理部６１０からユーザ端末５１０に提供される情報画面においては、出発地点と目的地点、出発時間、到着時間等を指定するための領域が設けられている。
【０００８】
サイト管理部６１０から提供された情報画面がユーザ端末５１０に表示された後、利用者が、出発地点と目的地点を指定するとともに、出発時刻や到着時刻に指定がある場合はこれらを指定し、経路検索サーバ６００に送信すると、経路検索サーバ６００内の経路検索部６２０において、時刻表データベース６２２及び乗換え時間データベース６２１が参照され、利用者が指定した条件を満たす経路が検索される。
【０００９】
その後、経路検索部６２０にて検索された経路が掲載された情報画面がサイト管理部６１０にて作成され、作成された情報画面がインターネット５２０を介してユーザ端末５１０に提供されることになる。
【００１０】
【発明が解決しようとする課題】
しかしながら、上述したような従来の経路情報提供システムにおいては、指定された出発地点と目的地点との２地点間の経路が検索され、検索された経路が提供されるだけであるため、出発地点と目的地点との間にて経由したい地点が生じた場合においても、その経由したい地点を考慮した経路情報を取得することができないという問題点がある。そのため、出発地点と目的地点との間にて経由したい地点が生じた場合は、出発地点と経由したい地点との２地点間の経路、並びに経由したい地点と目的地点との２地点間の経路をそれぞれ検索しなければならないことになってしまう。
【００１１】
また、出発時刻や到着時刻が指定されている場合においては、出発地点における出発時刻が提供されるものの、利用者自身が、提供された出発時刻を考慮して目的地点への移動を行うことになるため、移動の時刻を利用者が常に意識していなければならないという問題点がある。特に、到着時刻が指定されており、かつ、途中で経由したい地点が存在する場合、その地点を経由するためにかかる時間を利用者自身が考慮して行動しなければならないという問題点がある。
【００１２】
また、現在の交通障害等の情報を考慮した経路情報が提供されないため、最適なものとして検索された経路において交通障害等が発生している場合、目的地への到着が遅れてしまう虞れがある。
【００１３】
また、検索された経路情報には、経路上における情報が付与されていないため、経路上にて例えば食事をしたりする等の場合、そのためのガイドブックを見たり、インターネット等を用いて検索したりする等といった、経路検索とは別の手間がかかってしまうという問題点がある。また、その情報は、経路検索とは別に検索されるものであるため、移動の時間が指定されている場合であっても、その時間を考慮して検索されるものではなく、それにより、目的地への到着が遅れてしまう等といった障害が発生してしまう虞れがある。
【００１４】
本発明は、上述したような従来の技術が有する問題点に鑑みてなされたものであって、出発地点から目的地点までの経路を検索するとともに、検索された経路上における他の情報も検索して経路情報とともに提供することができ、また、出発時刻や到着時刻が指定されている場合に利用者がこの時刻を意識することなく移動することができる経路情報提供方法及び経路情報提供システムを提供することを目的とする。
【００１５】
【課題を解決するための手段】
上記目的を達成するために本発明は、
ネットワークに接続可能に構成された端末にて指定された情報に基づく経路を決定し、該経路情報をネットワークを介して前記端末に提供する経路情報提供方法であって、
前記端末にて指定された出発地点及び目的地点、並びに前記目的地点における到着時刻に基づいて、前記経路及び移動時刻を決定し、該移動時刻において、前記端末に対して前記経路及び前記移動時刻である旨を通知することを特徴とする。
【００１６】
また、前記出発地点は、前記端末にて取得された該端末の位置情報によって決まることを特徴とする。
【００１７】
また、予め登録された利用者に関する情報に基づいて、前記出発地点から前記目的地点までに経由可能な経由地を決定し、該経由地を前記端末に通知することを特徴とする。
【００１８】
また、前記利用者に関する情報は、該利用者の嗜好情報であり、該嗜好情報に関連する店舗を前記経由地として決定することを特徴とする。
【００１９】
また、前記経路にて障害が発生した場合、前記出発地点及び目的地点、並びに前記目的地点における到着時刻に基づいて他の経路を決定し、該経路を前記端末に提供することを特徴とする。
【００２０】
また、ネットワークに接続可能に構成された端末と、前記端末にて指定された情報に基づく経路を決定し、該経路情報をネットワークを介して前記端末に提供する情報提供手段とを有してなる経路情報提供システムにおいて、
前記情報提供手段は、前記端末にて指定された出発地点及び目的地点、並びに前記目的地点における到着時刻に基づいて、前記経路及び移動時刻を決定し、該移動時刻において、前記端末に対して前記経路及び前記移動時刻である旨を通知することを特徴とする。
【００２１】
また、前記端末は、該端末の位置情報を取得する位置情報取得手段を有し、
前記情報提供手段は、前記位置情報取得手段にて取得された前記端末の位置情報によって前記出発地点を決定することを特徴とする。
【００２２】
また、前記情報提供手段は、予め登録された利用者に関する情報に基づいて、前記出発地点から前記目的地点までに経由可能な経由地を決定し、該経由地を前記端末に通知することを特徴とする。
【００２３】
また、前記利用者に関する情報は、該利用者の嗜好情報であり、
前記情報提供手段は、前記嗜好情報に関連する店舗を前記経由地として決定することを特徴とする。
【００２４】
また、前記情報提供手段は、前記経路にて障害が発生した場合、前記出発地点及び目的地点、並びに前記目的地点における到着時刻に基づいて他の経路を決定し、該経路を前記端末に提供することを特徴とする。
【００２５】
また、ネットワークに接続可能に構成された端末にて指定された情報に基づく経路を決定し、該経路情報をネットワークを介して前記端末に提供するサーバであって、
前記端末にて指定された出発地点及び目的地点、並びに前記目的地点における到着時刻に基づいて、前記経路及び移動時刻を決定し、該移動時刻において、前記端末に対して前記経路及び前記移動時刻である旨を通知することを特徴とする。
【００２６】
また、前記端末にて取得された該端末の位置情報によって前記出発地点を決定することを特徴とする。
【００２７】
また、予め登録された利用者に関する情報に基づいて、前記出発地点から前記目的地点までに経由可能な経由地を決定し、該経由地を前記端末に通知することを特徴とする。
【００２８】
また、前記利用者に関する情報は、該利用者の嗜好情報であり、前記嗜好情報に関連する店舗を前記経由地として決定することを特徴とする。
【００２９】
また、前記経路にて障害が発生した場合、前記出発地点及び目的地点、並びに前記目的地点における到着時刻に基づいて他の経路を決定し、該経路を前記端末に提供することを特徴とする。
【００３０】
（作用）
上記のように構成された本発明においては、出発地点及び目的地点、並びに目的地点における到着時刻を予め登録しておけば、それらの情報に基づいて、出発地点から目的地点までの経路及び移動時刻が決定され、移動時刻において、移動時刻である旨と経路が端末に提供される。端末の利用者は、端末に提供された情報に従って移動するだけで、所望の時刻に目的地点に到着することができるようになる。
【００３１】
また、利用者の嗜好情報を登録しておき、この嗜好情報に基づいて、出発地点から目的地点までに経由可能な経由地を決定し、この経由地を端末に通知すれば、利用者は、目的地点における到着時刻に遅れることなく利用者の嗜好に合った経由地に立ち寄ることができる。
【００３２】
また、決定した経路にて障害が発生した場合、出発地点及び目的地点、並びに目的地点における到着時刻に基づいて他の経路を決定し、この経路を端末に提供すれば、決定した経路にて障害が発生した場合であっても、目的地点への到着が遅れることが回避される。
【００３３】
【発明の実施の形態】
以下に、本発明の実施の形態について図面を参照して説明する。
【００３４】
図１は、本発明の経路情報提供システムの実施の一形態を示す図である。
【００３５】
本形態は図１に示すように、インターネット２０に接続可能に構成されたユーザ端末１０と、ユーザ端末１０にて指定された情報に基づいて、予め登録された情報を参照して経路や移動時刻あるいは経路上の他の情報等を検索し、検索した情報を、ユーザ端末１０にて指定された情報と検索された情報とに基づく時刻にて、該情報が掲載された情報画面や電子メールあるいは音声等によってインターネット２０を介してユーザ端末１０に提供する経路情報提供サーバ１００とから構成されている。なお、ユーザ端末１０としては、ＰＤＡや携帯電話機等のインターネット２０に接続可能なものが考えられるが、本形態においては、ユーザ端末１０として携帯電話機を用いることとする。また、本形態においては、ユーザ端末１０を１つしか図示していないが、複数のユーザ端末がインターネット２０に接続可能に構成されて存在しているものとする。
【００３６】
図２は、図１に示したユーザ端末１０の構成を示すブロック図である。
【００３７】
本形態におけるユーザ端末１０は図２に示すように、電波信号の送受信を行うためのアンテナ１１と、経路情報提供サーバ１００に送信すべき情報をアンテナ１１を介して送信するとともに、経路情報提供サーバ１００から送信された情報をアンテナ１１を介して受信する通信部１２と、経路情報提供サーバ１００から送信されてきた情報画面や電子メールが表示されるディスプレイからなる表示部１４と、経路情報提供サーバ１００から送信されてきた音声情報が出力される音声出力部１５と、表示部１４に表示された情報画面に情報を入力するためのキーボタンからなる操作部１６と、ＧＰＳ機能等を有し、ユーザ端末１０の現在の位置情報を取得する位置情報取得部１７と、通信部１２、表示部１４、音声出力部１５、操作部１６及び位置情報取得部１７の動作を制御するとともにこれらの間における信号のやりとりを制御する制御部１３とから構成されている。
【００３８】
図３は、図１に示した経路情報提供サーバ１００の構成を示すブロック図である。
【００３９】
本形態における経路情報提供サーバ１００は図３に示すように、利用者に関する情報を登録するための情報画面を管理する登録画面管理部２１０と、登録画面管理部２１０にて管理される情報画面に入力された利用者に関する情報を管理するユーザ情報管理部１４０と、予め登録された店舗に関する情報を管理する店舗情報管理部１３０と、交通機関の時刻表が記憶された時刻表記憶部１２０と、交通機関の障害情報やその障害の予測復旧時間を取得、管理する障害情報取得部１５０と、交通機関の乗降地点、道路情報及び住所、登録店舗に関する位置情報が記憶された地理情報取得部２００と、ユーザ情報管理部１４０にて管理される利用者に関する情報に基づいて、時刻表記憶部１２０及び地理情報記憶部２００に記憶された情報、並びに店舗情報管理部１３０にて管理される情報を参照して目的地までの経路及び移動時刻を決定するとともに、障害情報取得部１５０にて障害情報が取得された場合、経路及び移動時刻の再決定を行う経路決定部１１０と、経路決定部１１０にて決定した移動時刻を通知する移動要求通知部１６０と、経路決定部１１０にて決定した経路における所要時間を通知する所要時間通知部１６０と、経路決定部１１０にて決定した経路における乗り換えに関する情報を通知する乗り換え通知部１８０と、経路決定部１１０にて決定した経路における主要地点を通知する主要地点通知部１９０とから構成されている。
【００４０】
ユーザ情報管理部１４０は、登録画面管理部２１０にて管理される情報画面に入力された利用者のスケジュールに関する情報をスケジュール記憶部１４１に記憶するとともに、登録画面管理部２１０にて管理される情報画面に入力された利用者に関する個人情報を嗜好情報記憶部１４２に記憶する。なお、個人情報には、利用者のお気に入りの店舗や好きな料理や飲み物等の嗜好情報が含まれる。また、ユーザ情報管理部１４０は、利用者の利用履歴や移動中経路等の情報をも管理する機能を有する。また、本システム利用時や座席予約時に利用者の認証が必要となるが、この認証を行う機能も有する。
【００４１】
また、時刻表記憶部１２０は、定期運行する交通機関の運行区間と運行時間、乗り換えに関する時間を管理しており、経路決定時に経路決定部１１０にて参照される。
【００４２】
また、経路決定部１１０は、時刻表記憶部１２０、地理情報記憶部２００、店舗情報管理部１３０及び障害情報取得部１５０と連携し、利用者をスケジュール通りに移動させるために利用する交通機関や出発時刻の決定、並びに食事をとる経由地点等を考慮して経路を決定する。
【００４３】
また、地理情報記憶部２００は、定期運行する交通機関の乗降地点、道路情報及び住所、登録店舗に関する位置情報を管理し、目的地点、経由地点をもとに経路検索をする際に参照される。また、乗り換えや食事の際は徒歩での移動を支援するため、ユーザ端末１０へ送信する地図の生成と送信を行う機能を有する。
【００４４】
また、障害情報取得部１５１は、電車やバス等の路線や道路の障害情報や予測復旧時間を取得、管理する機能を有する。なお、障害により影響が出る経路を移動中の利用者がいる場合は、経路決定部１１０において、経由地と指定した店舗へ立ち寄ることを中止や利用交通機関変更を行う等して移動経路の再決定を行う。
【００４５】
また、店舗情報管理部１３０は、管理している食事や休憩、観光などの店舗に関する住所や、定休日、営業時間、メニュー一覧及びお勧めメニュー、料理の種類、利用者数ランキング、混み具合、イベント情報等から経由地決定に利用される。店舗情報記憶部１３１は、店舗の位置情報やメニューや定休日や待ち時間等の店舗営業情報が登録されている、利用動向記憶部１３２は、利用者ランキングの記憶する機能を持ち、本システムの利用者が立ち寄った回数をカウントし、店舗のランキングや人気情報や利用実績等の利用動向が、天候別や曜日別や日時別に店舗情報とともに管理することで経由地決定の判断情報として利用する。混雑状況取得部１３３は、利用者の平均滞在時間と最も現在利用中の利用者滞在時間の差、または登録店舗からの混雑情報を受信することで混雑状況を把握する。
【００４６】
以下に、上記のように構成された経路情報提供システムにおける経路情報提供方法について説明する。
【００４７】
まず、ユーザ情報を登録する際の処理について説明する。
【００４８】
図４は、図１〜図３に示した経路情報提供システムにおいてユーザ情報を登録する際の処理を説明するためのフローチャートである。
【００４９】
利用者が、ユーザ端末１０を用いてインターネット２０を介して経路情報提供サーバ１００にアクセスすると（ステップＳ１）、経路情報提供サーバ１００の登録画面管理部２１０において、利用者を認証するための認証画面が送信される（ステップＳ２）。
【００５０】
経路情報提供サーバ１００の登録画面管理部２１０から送信された認証画面は、インターネット２０を介してユーザ端末１０にて受信され、画面上に表示される（ステップＳ３）。
【００５１】
図５は、図１〜図３に示した経路情報提供システムにて経路情報提供サーバ１００から送信され、ユーザ端末１０にて受信、表示される認証画面を示す図である。
【００５２】
図５に示すように、経路情報提供サーバ１００の登録画面管理部２１０から送信され、ユーザ端末１０にて受信、表示される認証画面においては、予め登録された利用者に付与されたＩＤ及びパスワードを入力可能なエリアが設けられており、利用者は、このエリアにＩＤ及びパスワードを入力し、送信する（ステップＳ４）。
【００５３】
利用者によって入力、送信されたＩＤ及びパスワードは、ユーザ端末１０からインターネット２０を介して経路情報提供サーバ１００にて受信される（ステップＳ５）。
【００５４】
ユーザ端末１０から送信されたＩＤ及びパスワードが経路情報提供サーバ１００にて受信されると、ユーザ情報管理部１４０において、ユーザ端末１０から送信されてきたＩＤ及びパスワードが登録されているかどうかによって利用者の認証が行われ、ＩＤ及びパスワードが登録されている場合は（ステップＳ６）、利用者情報を入力するためのユーザ情報登録画面が登録画面管理部２１０から送信される（ステップＳ７）。
【００５５】
登録画面管理部２１０から送信されたユーザ情報登録画面は、インターネット２０を介してユーザ端末１０にて受信され、画面上に表示される（ステップＳ８）。
【００５６】
図６は、図１〜図３に示した経路情報提供システムにて経路情報提供サーバ１００から送信され、ユーザ端末１０にて受信、表示されるユーザ情報登録画面を示す図である。
【００５７】
図６に示すように、経路情報提供サーバ１００の登録画面管理部２１０から送信され、ユーザ端末１０にて受信、表示されるユーザ情報登録画面においては、利用者が移動する予定日、予定時間及び目的地が入力可能なエリアが設けられているとともに、利用者の嗜好情報が入力可能なエリアが設けられている。
【００５８】
利用者が図６に示したようなユーザ情報登録画面に、所定の情報を入力して送信すると（ステップＳ９）、ユーザ情報登録画面に入力された情報がインターネット２０を介して経路情報提供サーバ１００にて受信され、ユーザ情報管理部１４０にて管理されるスケジュール記憶部１４１及び嗜好情報記憶部１４２に登録される（ステップＳ１０）。
【００５９】
また、ユーザ端末１０から送信されてきたＩＤ及びパスワードが登録されていない場合は、ステップＳ２における処理に戻り、経路情報提供サーバ１００の登録画面管理部２１０において、利用者を認証するための認証画面が再度送信される。
【００６０】
次に、経路情報を用いた誘導方法について説明する。
【００６１】
図７は、図１及び図３に示した経路情報提供サーバ１００における経路情報を用いた誘導方法を説明するためのフローチャートである。
【００６２】
スケジュール記憶部１４１に記憶された利用者のスケジュールは、経路情報提供サーバ１００のユーザ情報管理部１４０にて常時監視されており（ステップＳ２１）、移動を行うスケジュール当日となった利用者が存在する場合（ステップＳ２２）、まず、誘導開始準備として利用者のスケジュールの内容確認が行われる（ステップＳ２３）。
【００６３】
次に、経路決定部１１０において、ユーザ端末１０から送信されるユーザ端末１０の位置情報が自動的に取得され（ステップＳ２４）、予定時刻に目的地に到着するための移動経路が選択されるとともに、移動にかかる時間が算出される（ステップＳ２５）。ここで、移動経路の選択は、ステップＳ２４にて取得されたユーザ端末１０の位置と目的地との間にて最短で移動可能な経路が、時刻表記憶部１２０に記憶された時刻表を参照して選択され、また、移動時間は、その経路を移動した際の移動時間が算出される。なお、この移動時間は、時刻表記憶部１２０に記憶された、交通機関の乗車時間と乗り換え時間とによって算出されることになる。また、この検索では障害情報取得部１５１及び地理情報記憶部２００と連携することで交通障害による影響や徒歩での移動にかかる時間も考慮に入れて算出される。また、ユーザ端末１０の位置情報は、ユーザ端末１０内の位置情報取得部１７（図２参照）にて取得されており、この取得された位置情報がインターネット２０を介して経路情報提供サーバ１００に送られている。
【００６４】
次に、経路決定部１１０において、移動時間に余裕かあるかどうかが判断され（ステップＳ２６）、移動時間に余裕がある場合は、その余裕時間及び誘導を行う時刻に応じて、経由地が選択される（ステップＳ２７）。
【００６５】
ステップＳ２７における経由地選択は、店舗情報記憶部１３１、利用者動向記憶部１３２及び嗜好情報記憶部１４２に登録された情報と、混雑状況取得部１３３にて取得された情報に基づいて行われる。店舗情報記憶部１３１においては、レストランや喫茶店、観光施設、図書館などに関する情報が登録されており、それぞれ利用可能時間や定休日、提供されるメニューやお勧めメニュー、開催イベント情報、混み具合、利用者数ランキングなどの項目が登録されている。また、嗜好情報記憶部１４２においては、利用者により登録されたお気に入りの店や、好きな料理などの嗜好情報が登録されている。このため、これらの情報が参照され、ステップＳ２５にて選択された経路上にて、利用者の好みを考慮した経由地が選択されることになる。
【００６６】
ステップＳ２７にて経由地が選択されると、ユーザ端末１０に移動指示が送信され、ユーザ端末１０を用いた誘導が開始される（ステップＳ２８）。なお、ステップＳ２６にて移動時間に余裕がないと判断された場合は、ステップＳ２７における経由地の選択が行われずに、ステップＳ２８に移り、即移動を開始することを促し最短で到着する交通機関への誘導を始める。
【００６７】
ユーザ端末１０を用いた誘導が開始されると、経路情報提供サーバ１００から利用者のスケジュールに基づいたタイミングで、経路決定部１１０にて決定された経路や経由地に基づいた情報が送信される（ステップＳ２９）。
【００６８】
図８は、図１に示した経路情報提供システムにて経路情報提供サーバ１００からユーザ端末１０に提供される経路情報を示す図である。
【００６９】
図８に示すように、本形態にて経路情報提供サーバ１００からユーザ端末１０に提供される経路情報には、移動開始時刻、経路、その周辺の地図が含まれている。
【００７０】
例えば、ユーザ端末１０の位置情報が常に監視され、交通機関の乗り換え地点や徒歩での移動中には乗り換えに必要な地図情報がユーザ端末１０に対して送信される。
【００７１】
また、地図情報等の情報を送信する必要がない場合は、次の移動手段の指示や食事を行う店のメニューや商品に関する情報が送信される。
【００７２】
また、経由地である店舗の滞在時間は店舗ごとに必要となる時間に基づいて決定されるが、出発予定時間が近づくと移動要求通知部１６０により利用者に出発時間とともに移動再開時刻が近い旨が通知される。
【００７３】
また、所要時間通知部１７０において、所要時間の割り出しが行われ、出発時刻、食事開始時刻、食事終了時刻等が、ユーザ端末１０に対して電子メールや音声等で通知される。
【００７４】
また、乗り換え通知部１８０において、交通機関における乗り換え地点が近づいた場合、利用者に乗り換えまでの残り時間とともに乗り換え地点が近づいたことがユーザ端末１０に対して通知される。
【００７５】
また、主要地点通知部１９０において、乗り換えや寄り道する店への徒歩での移動の際に交差点や曲がり角などの主要地点がユーザ端末１０に対して地図や音声で通知される。
【００７６】
また、検索経路で定期路線を持つ交通機関が利用できない区間は、徒歩で移動するよう誘導するが、このときの所要時間が任意の閾値を超えているときはタクシーを利用するよう指示を出す。閾値となる時間は既定値が定義されているが、利用者によりあらかじめ登録することが可能である。タクシーの乗車時間は、直前の交通機関の降車予定時刻と余裕時間を考慮して決定される。余裕時間も既定値が定義されているが利用者により指定することも可能である。
【００７７】
ここで、利用者を誘導中に、障害情報取得部１５１において、誘導経路上に障害が発生したことが認識された場合や、利用者の移動が遅れた結果、現在誘導中の経路では予定時刻内に目的地に到着することが難しいと判断された場合は（ステップＳ３０）、経路決定部１１０において、ステップＳ２４における処理に戻り、動的に誘導予定が変更される。この場合、予定されていた経由地での滞在時間の短縮や代替経由地の選択、登録されている経由地への立ち寄りの中止、利用交通機関の変更等が行われ、予定時刻内での到着を最優先とした誘導が行われる。
【００７８】
その後、利用者が目的地点に到着するための誘導が終了すると（ステップＳ３１）、処理を終える。
【００７９】
利用者は、上述した一連の処理により行われる誘導に従って移動することにより、スケジュールを常に考慮していなくても予定通りに目的地へ到着することができるようになり、また、空き時間には嗜好に合った店で時間等の計算を行わずに好みの食事をとったり、店へ立ち寄ったりすることが可能となる。
【００８０】
【発明の効果】
本発明は、以上説明したように構成されているため、利用者は、移動時刻を意識せずに目的地へ予定時刻内に到着することができるようになり、スケジュールに沿った行動が可能になる。
【００８１】
また、移動途中に必要な食事や休憩の時間や経由地選びや空き時間の計算を行わなくても、利用者の予定時刻を守りつつ好みに合った店舗へ立ち寄りことができる。
【００８２】
また、空き時間を考慮した誘導を行い、経由地に関するメニューや商品の情報を移動中に提供することで、滞在時間や商品選択にかかる時間を短縮することができる。
【図面の簡単な説明】
【図１】本発明の経路情報提供システムの実施の一形態を示す図である。
【図２】図１に示したユーザ端末の構成を示すブロック図である。
【図３】図１に示した経路情報提供サーバの構成を示すブロック図である。
【図４】図１〜図３に示した経路情報提供システムにおいてユーザ情報を登録する際の処理を説明するためのフローチャートである。
【図５】図１〜図３に示した経路情報提供システムにて経路情報提供サーバから送信され、ユーザ端末にて受信、表示される認証画面を示す図である。
【図６】図１〜図３に示した経路情報提供システムにて経路情報提供サーバから送信され、ユーザ端末にて受信、表示されるユーザ情報登録画面を示す図である。
【図７】図１及び図３に示した経路情報提供サーバにおける経路情報を用いた誘導方法を説明するためのフローチャートである。
【図８】図１に示した経路情報提供システムにて経路情報提供サーバからユーザ端末に提供される経路情報を示す図である。
【図９】従来の経路情報提供システムの一構成例を示す図である。
【符号の説明】
１０　　ユーザ端末
１１　　アンテナ
１２　　通信部
１３　　制御部
１４　　表示部
１５　　音声出力部
１６　　操作部
１７　　位置情報取得部
２０　　インターネット
１００　　経路情報提供サーバ
１１０　　経路決定部
１２０　　時刻表記憶部
１３０　　店舗情報管理部
１３１　　店舗情報記憶部
１３２　　利用動向記憶部
１３３　　混雑状況取得部
１４０　　ユーザ情報管理部
１４１　　スケジュール記憶部
１４２　　嗜好情報記憶部
１５０　　障害情報取得部
１６０　　移動要求通知部
１７０　　所要時間通知部
１８０　　乗り換え通知部
１９０　　主要地点通知部
２００　　地理情報記憶部
【図１】
2004028691.tif 000003
【図２】
2004028691.tif 000004
【図３】
2004028691.tif 000005
【図４】
2004028691.tif 000006
【図５】
2004028691.tif 000007
【図６】
2004028691.tif 000008
【図７】
2004028691.tif 000009
【図８】
2004028691.tif 000010
【図９】
2004028691.tif 000011